(57)【特許請求の範囲】
【請求項１】
軸筒の前方にペン芯およびペン先を装着すると共に、該ペン芯と連通する開口部を前端に有したインキ収容部の内部に、弾性を有する外側部に前記インキ収容部の内側面に密接する鍔部を形成した移動弁部材を摺動可能に配し、前記インキ収容部の後方に露出させた操作部材を回転操作することにより、前記移動弁部材に連結し且つ外面に操作部材の雌螺子部に噛み合う雄螺子部を設けた押棒を介して前後動させ前記インキ収容部の内部にインキを吸入する構造のインキ吸入機構付き万年筆であって、前記インキ収容部の内部における前記開口部の周縁となる前方内面に当該インキ収容部の後方側へ向かって突出するよう円環状の突起を形成すると共に、前記インキ収容部の内側面と前記円環状の突起との間に凹部を形成し、前記移動弁部材の後方に前記押棒の前端部を装着する装着孔を形成すると共に、前記押棒の前端部に前記インキ収容部の開口部の開口巾より巾広で且つ前記円環状の突起の後方延長線上に合致する大径部を形成して、前記移動弁部材の装着孔に前記押棒の大径部を装着することにより、前記移動弁部材が前記インキ収容部の内部で前進した際において、前記インキ収容部の円環状の突起を前記移動弁部材における前記押棒の大径部で支持された箇所に当接させ、移動弁部材および押棒の前進を規制させる構造としたことを特徴とするインキ吸入機構付き万年筆。
【発明の詳細な説明】
【技術分野】
【０００１】
本発明はインキ吸入機構付きの万年筆に関し、さらに詳細には、インキ収容部の内部に摺動可能に配した移動弁部材を、インキ収容部の外部に露出させた操作部材を回転操作することにより、移動弁部材に連結し且つ外面に操作部材の雌螺子部に噛み合う雄螺子部を設けた押棒を介して前後動させて、インキ収容部の内部にインキを吸入する構造のインキ吸入機構付き万年筆に関する。
【背景技術】
【０００２】
従来より、インキ収容部にインキを吸入する手段として、例えば特開２００２−３３１７９０号公報にも開示されているように、操作部材を回転操作することでインキ収容部の内部に配した移動弁部材を前後動させ、インキ収容部内にインキの吸入を行う構造のインキ吸入機構はよく知られている。この様なインキ吸入機構を用いた万年筆を図で説明すると、図６に示すように、万年筆１００の軸筒２には、インキ吸入機構５０を設けてあり、インキ吸入機構５０の操作部材９０を回転操作することにより、操作部材９０に設けた雌螺子部９０ａで押棒８０に設けた雄螺子部８０ａを前進させて、押棒８０と共に移動弁部材７０を前進させ、前進した状態の移動弁部材７０を操作部材９０の逆回転で後退させることにより、インキ収容部６０内に負圧を発生させ、インキ瓶に入れたペン芯２０からインキを吸入させる構造である。尚、図６の仮想線で示すように、移動弁部材７０は、移動弁部材７０の弁としての気密性を確保させる外側部７０ａが、インキ収容部６０の内面に形成した突起６０ａに当接することで、移動弁部材７０および押棒８０の前進を規制させる構造としてある。
【０００３】
ところで、前述の従来構造のインキ吸入機構付き万年筆１００では、移動弁部材７０において気密性を向上させるために弾力性を付与した外側部７０ａが、インキ収容部６０の突起６０ａに当接することによって、経時的に移動弁部材７０の外側部７０ａが劣化してしまい、弁としての機密性を損なう虞があった。さらに突起６０ａの存在により、移動弁部材７０の前進をインキ収容部６０の途中で規制する構造のため、図６で示すところのＬの分だけ必然的にインキが吸入できなくなり、インキ吸入量が少なくなってしまうという問題があった。さらに、図７および図８に示すように、インキ収容部６０にインキ４００を収容した状態でペン先２１を上方に向けた図７の状態から、ペン先２１を下に向けた図８の状態にする際に、インキ収容部６０内のインキ４００が、インキ収容部６０の内側面の中間部に形成した円環状の突起６０ａに当たることで、図８に示すようにインキ４００がペン芯２０側へ行かずに、インキ収容部６０の後ろ側にとどまってしまう場合があった。この様に図８の状態になってしまうと、ペン芯２０にインキ４００が到達せずに、筆記の書き出しに不具合を発生させていた。また筆記時において、インキ４００の減少に伴ってペン芯２０からインキ収容部６０内に入ってくる気泡が、円環状の突起６０ａに接触することで、気泡がインキ収容部６０の後方へ行かずに突起６０ａで溜まって大きくなってしまい、インキ４００の流出を阻害してしまう場合があった。
【０００４】
尚、図９に示す万年筆２００は、図６に示した万年筆１００とは異なり、インキ収容部６０に突起６０ａを設けるのではなく、軸筒２およびペン芯２０の一部を前方へ凹ますようにして形成した凹部２０ａに、移動弁部材７０の前方部７０ｂが入るようにして、移動弁部材７０の外側部７０ａを軸筒２やペン芯２０の内面に当接させて、移動弁部材７０および押棒８０の前進を規制させる構造のものであり、当該構造においては、移動弁部材の前進を規制する突起によるインキの移動を阻害したりインキの流出を阻害する悪さがないものの、やはり、移動弁部材７０において気密性を向上させるために弾力性を付与した外側部７０ａが、軸筒２やペン芯２０に当接することにより、経時的に移動弁部材７０の外側部７０ａが劣化して、弁としての機密性を損なう虞があった。また、図９において仮想線で示したように、移動弁部材７０がインキ収容部６０の前方まで移動する構造としたために、移動弁部材７０の摺動性を滑らかにするためにインキ収容部６０の内面に塗布したグリスやオイル（図示せず）が、移動弁部材７０の前進でペン芯２０内に入り込んでしまう場合があり、インキの流出不良を起こす虞があった。
【先行技術文献】
【特許文献】
【０００５】
【特許文献１】特開２００２−３３１７９０号公報
【発明の概要】
【発明が解決しようとする課題】
【０００６】
本発明はこうした問題点を解消するために、移動弁部材の劣化による気密性の低下を防ぎ、またインキ収容部内のインキの移動やインキの流出を滑らかにすることが可能であり、且つインキ収容部の内側面に塗布したグリスやオイルの余剰分がペン芯に入り込むことを防止できる構造のインキ吸入機構付き万年筆を得ることを目的とした。
【課題を解決するための手段】
【０００７】
本発明は、
「軸筒の前方にペン芯およびペン先を装着すると共に、該ペン芯と連通する開口部を前端に有したインキ収容部の内部に、弾性を有する外側部に前記インキ収容部の内側面に密接する鍔部を形成した移動弁部材を摺動可能に配し、前記インキ収容部の後方に露出させた操作部材を回転操作することにより、前記移動弁部材に連結し且つ外面に操作部材の雌螺子部に噛み合う雄螺子部を設けた押棒を介して前後動させ前記インキ収容部の内部にインキを吸入する構造のインキ吸入機構付き万年筆であって、前記インキ収容部の内部における前記開口部の周縁となる前方内面に当該インキ収容部の後方側へ向かって突出するよう円環状の突起を形成すると共に、前記インキ収容部の内側面と前記円環状の突起との間に凹部を形成し、前記移動弁部材の後方に前記押棒の前端部を装着する装着孔を形成すると共に、前記押棒の前端部に前記インキ収容部の開口部の開口巾より巾広で且つ前記円環状の突起の後方延長線上に合致する大径部を形成して、前記移動弁部材の装着孔に前記押棒の大径部を装着することにより、前記移動弁部材が前記インキ収容部の内部で前進した際において、前記インキ収容部の円環状の突起を前記移動弁部材における前記押棒の大径部で支持された箇所に当接させ、移動弁部材および押棒の前進を規制させる構造としたことを特徴とするインキ吸入機構付き万年筆。」である。
【発明の効果】
【０００８】
本発明のインキ吸入機構付き万年筆は、インキ収容部の前方部に形成した円環状の突起に対して、移動弁部材における押棒の大径部で支持された箇所を当接して移動弁部材の前進を規制する構造としたことから、移動弁部材の外側部の経時的な劣化が少なくなって気密性を維持することができ、またインキ収容部の内側面に対して移動弁部材の前進を規制するための突起を設ける必要がないため、突起の存在による筆記の書き出し不良や気泡の溜まりによるインキの流出不良といった問題が解消できた。また、移動弁部材の摺動性を向上させるためにインキ収容部の内側面に塗布したグリスが、移動弁部材の前進によってインキ収容部の前方に寄ってしまった場合でも、インキ収容部の前方内面に形成した凹部にグリスが溜まることで、グリスがペン芯側に入り込むことによるインキ流出不良を防止することができるものとなった。
【図面の簡単な説明】
【０００９】
【図１】本実施例のインキ吸入機構付き万年筆の断面図である。
【図２】図１のＫ−Ｋ線断面図である。
【図３】図１の万年筆でインキ吸入を行っている状態の図である。
【図４】本実施例の要部拡大図で移動弁部材が前進している状態の図である。
【図５】本実施例の要部拡大図で移動弁部材がインキ収容部の前方部に当接した状態の図である。
【図６】従来のインキ吸入機構付き万年筆の断面図である。
【図７】従来のインキ吸入機構付き万年筆で、インキ収容部にインキを収容してペン先を上方に向けた状態の図である。
【図８】従来のインキ吸入機構付き万年筆で、インキ収容部にインキを収容してペン先を上方に向けた状態から、ペン先を下方に向けた状態の図である。
【図９】他の従来のインキ吸入機構付き万年筆である。
【発明を実施するための形態】
【００１０】
次に、図面を参照しながら説明を行うが、本発明は以下の実施例に限定されるものではない。また図中の同じ部材、同じ部品については、同じ符号としてある。
【００１１】
図１に示すように本実施例の万年筆１は、軸筒２の前方にペン芯２０を具備したペン先２１を配設してあり、軸筒２は軸筒前方部材３と連結部材４と軸筒後方部材５とで構成し、内部にインキ吸入機構６を設けてある。インキ吸入機構６は、軸筒前方部材３の内部にインキ収容部７を設け、インキ収容部７の内部に前後動可能とする移動弁部材８を配設してあり、移動弁部材８に形成した装着孔８ａの係止部８ｂに、押棒９の先端部に形成した大径部９ａを係止して抜け止め状態に一体としてある。また、操作部材１０の外側に形成した大径部１０ａの後端部を軸筒前方部材３の後部に螺合した連結筒１１の内向きの鍔部１１ａに当接させ、操作部材１０の前端部を軸筒前方部３の内部に圧入および接着して固着させた回転規制部材１２へ当接させることにより、インキ収容部７に対して操作部材１０が前後に動かない状態で回転可能に配設してある。
【００１２】
また、インキ収容部７の前方部には、ペン芯２０と連通する開口部７ａを設けてあり、開口部７ａの周縁となるインキ収容部７の前方内面に、インキ収容部７の後方側へ向かって突出するよう形成した円環状の突起７ｂを形成すると共に、インキ収容部７の内側面７ｃと円環状の突起７ｂとの間に円環状の凹部７ｄを形成してある。尚、本実施例の押棒９の前端に形成した大径部９ａは、インキ収容部７の開口部７ａの開口巾より巾広で円環状の突起７ｂの後方延長線上に合致するよう形成してある。また、本実施例の移動弁部材８は、前方に円形状の溝部８ｃを形成すると共に外側面に鍔部８ｄを形成して、移動弁部材８の前方に弾性を付与すると共にインキ収容部７の内側面７ｃとの気密性を向上させた。また押棒９は、操作部材１０の回転に伴って回転しないように、図２に示すように、回転規制部材１２に穿孔した長方形形状の貫通孔１２ａに対して、外形が長方形形状である押棒９を挿通させて回転を規制してある。図３は、軸筒後方部材５を回転操作することにより押棒９を前進させ、次いで軸筒後方部材５を逆回転することで移動弁部材８を後退させ、インキ瓶３００内のインキ４００をペン芯２０を介してインキ収容部７内に吸入するときの図である。
【００１３】
次に図４，図５を用いて本発明の要旨について説明を行う。図４は、押棒９により前進した移動弁部材８が、外側面に形成した鍔部８ｄをインキ収容部７の内側面７ｃに摺動させながら前進している状態を示している。図５は、押棒９により前進した移動弁部材８を、インキ収容部７の前方内面に形成した円環状の突起７ｂに当接させ、移動弁部材８の前進を規制した状態を示している。尚、図４で示す押棒９を前進させる押圧力Ｗは、図５における挟持力Ｖのように移動弁部材８を上下で挟む力として働くが、本実施例では、移動弁部材８における押棒９の大径部９ａで支持された箇所８ｄがインキ収容部７の円環状の突起７ｂに当接しており、また、インキ収容部７の内側面７ｃとの気密性に関係する移動弁部材８の外側面７ｃに形成した鍔部８ｄが空間部となるインキ収容部７の円環状の凹部７ｄに位置するので、挟持力Ｖの影響による劣化がないものとなった。
【産業上の利用可能性】
【００１４】
本発明の構造は、万年筆以外のマーキングペンや水性ボールペンなどの筆記具に採用することも可能である。
【符号の説明】
【００１５】
１…万年筆、２…軸筒、２０…ペン芯、２１…ペン先、
３…軸筒前方部材、４…連結部材、５…軸筒後方部材、
６…インキ吸入機構、
７…インキ収容部、７ａ…開口部、７ｂ…円環状の突起、
７ｃ…内側面、７ｄ…円環状の凹部、
８…移動弁部材、８ａ…装着孔、８ｂ…係止部、
８ｃ…円形状の溝部、８ｄ…鍔部、
９…押棒、９ａ…大径部、
１０…操作部材、１０ａ…大径部、
１１…連結筒、１１ａ…鍔部、
１２…回転規制部材、１２ａ…貫通孔、
Ｗ…押圧力、Ｖ…挟持力。
【図１】
0005388360.tif 000002
【図２】
0005388360.tif 000003
【図３】
0005388360.tif 000004
【図４】
0005388360.tif 000005
【図５】
0005388360.tif 000006
【図６】
0005388360.tif 000007
【図７】
0005388360.tif 000008
【図８】
0005388360.tif 000009
【図９】
0005388360.tif 000010